(57)【要約】【課題】調節脚における脚本体の高さ調節の操作を、洗濯機本体の外側からでも、外箱の内側からでも行うことができるようにする。【解決手段】洗濯機本体の底部を構成する台板４に設けた調節脚１３は、軸部１９と、軸部１９の下端部に成形により一体化されたゴム脚２０を有する脚本体２１を備えている。軸部１９の上端部に、内部操作部として、工具挿入用の溝３１を設ける。脚本体２１は、軸部１９の雄ねじ部１８を、台板４に取り付けたブッシュ１７の雌ねじ部２４に対して螺進退させることで高さを調節する。高さ調節を洗濯機本体の外部から行う場合には、ゴム脚２０を外部操作部として脚本体２１を回転させて高さ調節する。ゴム脚２０を外部から回転させられない場合は、外箱前部の開口部１１を開放し、開口部１１から台板４内へ挿入したドライバーの先端部を前記溝３１に挿入して軸部１９を回転させることで行うことができる。【選択図】図１
2010259704.tif 000002
【特許請求の範囲】
【請求項１】
外殻を外箱で形成した洗濯機本体の底部に、高さ調節可能な調節脚を備えた洗濯機において、
前記調節脚は、
軸方向が上下方向に指向する軸部を有するとともに、前記軸部の外周部に、前記洗濯機本体の底部に設けられた雌ねじ部に対して螺進退可能に螺合する雄ねじ部を有し、前記軸部を回転させて前記雄ねじ部を前記雌ねじ部に対して螺進退させることに伴い上下方向へ移動するように設けられた脚本体と、
この脚本体の下部に前記洗濯機本体の外部に露出させて設けられ、前記洗濯機本体の外部から前記軸部を回転させることが可能な外部操作部と、
前記脚本体の上部に前記外箱内に露出するように設けられ、前記外箱の内部において前記軸部を回転させることが可能な内部操作部とを有して構成され、
前記外箱は、前記内部操作部の近傍を開放可能に構成したことを特徴とする洗濯機。
【請求項２】
前記内部操作部は、前記脚本体における前記軸部の上端部に形成された、工具挿入用の溝により構成したことを特徴とする請求項１記載の洗濯機。
【請求項３】
前記脚本体における前記軸部の上部外周部に、前記外箱の内部において操作可能な内部ロックナットを設けたことを特徴とする請求項１または２記載の洗濯機。
【請求項４】
前記脚本体における前記軸部の外周部に、前記洗濯機本体の外部から操作可能な外部ロックナットを設け、前記洗濯機本体に、前記外部ロックナットの回り止めをする回り止め手段を設けたことを特徴とする請求項１から３のいずれか一項に記載の洗濯機。
【請求項５】
前記脚本体における前記軸部の外周部に、前記洗濯機本体の外部から操作可能な外部ロックナットを備え、
前記洗濯機本体を防水パン上に設置した状態で、前記外部ロックナットが、前記防水パンの周縁部の高さより高い位置に位置する構成としたことを特徴とする請求項１から４のいずれか一項に記載の洗濯機。
【発明の詳細な説明】
【技術分野】
【０００１】
本発明は、洗濯機本体の底部に、高さ調節可能な調節脚を備えた洗濯機に関する。
【背景技術】
【０００２】
従来より洗濯機においては、洗濯機設置時の洗濯機本体のがたつきをなくして運転時の振動や騒音の発生を防止するために、洗濯機本体の底部に、高さ調節可能な調節脚を１個或いは複数個備えているのが一般的である。例えば特許文献１には、前記調節脚の構成として２つの例が示されている。
【０００３】
第１の従来例は、次のような構成となっている。洗濯機本体の底部にナットを固着している。外周部に雄ねじ部を有する軸部（調節ボルト）にゴム脚を成形により一体化して脚本体を構成し、前記軸部の雄ねじ部を、前記ナットに螺合させることにより、脚本体を上下方向に移動可能に設けている。ゴム脚は、洗濯機本体の底部から下方へ突出していて、洗濯機本体の設置面に接触する。軸部の外周部には、洗濯機本体の外側に位置させて、前記雄ねじ部に螺合するロックナットを取り付けている。
【０００４】
上記構成において、脚本体の高さを調節する場合、通常は、ロックナットを緩めた状態で、ゴム脚ごと脚本体を回転させ、軸部の雄ねじ部をナットに対して螺進退させることで、脚本体を上下方向へ移動させて高さを調節する。この後、ロックナットを締め付けることで、脚本体の位置を固定する。
【０００５】
第２の従来例は、前記第１の従来例とは次の点が異なっている。すなわち、脚本体における軸部（調節ボルト）の下端部に球体を設け、この球体に、ゴム脚を摺動可能に取り付けている。そして、軸部の上部に、洗濯機本体の外箱内に位置させて、棒状のハンドルを設け、外箱には、外箱の外側から前記ハンドル１３を操作できるようにするための開口部を設けている。
【０００６】
上記構成において、脚本体の高さを調節する場合は、ロックナットを緩めた状態で、外箱の開口部から外箱内に手を挿入し、前記ハンドルを回転操作することで軸部を回転させ、脚本体を上下方向へ移動させて高さを調節する。この後、ロックナットを締め付けることで、脚本体の位置を固定する。
【先行技術文献】
【特許文献】
【０００７】
【特許文献１】実開平４−１２１８９０号公報（図７、図２参照）
【発明の概要】
【発明が解決しようとする課題】
【０００８】
上述した第１の従来例の場合、脚本体の高さを調節するには、洗濯機本体の外側からしか行うことができない。例えば洗濯機本体を、防水パン上に設置する場合において、脚本体のゴム脚の高さ位置が、防水パンの周縁部における立上がり壁の上端より低くなってしまう。このような状態であると、ゴム脚を回転操作することができないため、洗濯機本体を防水パン上に設置した状態では脚本体の高さを調節することが困難であるという問題がある。
【０００９】
一方、第２の従来例の場合、外箱の開口部から外箱内に手を挿入し、ハンドルを回転操作することで脚本体の高さを調節することができるため、開口部の高さ位置を、防水パンの周縁部における立上がり壁の上端より高く設定することで、洗濯機本体を防水パン上に設置した状態でも脚本体の高さを調節することが可能となる。しかしながら、この第２の従来例の場合、洗濯機本体の外側からゴム脚を回転させても軸部は回転しないため、洗濯機本体の外側からでは脚本体の高さを調節することができない。このため、洗濯機本体を防水パン上に設置しない場合でも、外箱の開口部から外箱内に手を挿入してハンドルを回転操作する必要があるため、作業が面倒となることがある。
【００１０】
本発明は上記した事情に鑑みてなされたものであり、その目的は、調節脚における脚本体の高さ調節の操作を、洗濯機本体の外側からでも、外箱の内側からでも行うことができる洗濯機を提供することにある。
【課題を解決するための手段】
【００１１】
上記した目的を達成するために、本発明は、外殻を外箱で形成した洗濯機本体の底部に、高さ調節可能な調節脚を備えた洗濯機において、
前記調節脚は、
軸方向が上下方向に指向する軸部を有するとともに、前記軸部の外周部に、前記洗濯機本体の底部に設けられた雌ねじ部に対して螺進退可能に螺合する雄ねじ部を有し、前記軸部を回転させて前記雄ねじ部を前記雌ねじ部に対して螺進退させることに伴い上下方向へ移動するように設けられた脚本体と、
この脚本体の下部に前記洗濯機本体の外部に露出させて設けられ、前記洗濯機本体の外部から前記軸部を回転させることが可能な外部操作部と、
前記脚本体の上部に前記外箱内に露出するように設けられ、前記外箱の内部において前記軸部を回転させることが可能な内部操作部とを有して構成され、
前記外箱は、前記内部操作部の近傍を開放可能に構成したことを特徴とする。
【発明の効果】
【００１２】
上記構成によれば、調節脚の脚本体には外部操作部と内部操作部とが設けられている。例えば、脚本体の高さ調節を洗濯機本体の外側から行うことができる場合には、洗濯機本体の外側から外部操作部を操作して軸部を回転させることで脚本体の高さを調節することができる。これに対して、例えば、洗濯機本体を防水パン上に設置した状態で、洗濯機本体の外側から外部操作部を操作できないような場合には、外箱にあって内部操作部の近傍を開放させた状態で、外箱内の内部操作部を操作して軸部を回転させることで脚本体の高さを調節することができる。
したがって、本発明においては、調節脚における脚本体の高さ調節の操作を、洗濯機本体の外側からでも、外箱の内側からでも行うことができる。
【図面の簡単な説明】
【００１３】
【図１】本発明の第１の実施形態を示すもので、調節脚を取り付けた部分の縦断側面図
【図２】洗濯機全体の外観斜視図
【図３】前カバーを外した状態で示す台板の左前方からの斜視図
【図４】前カバーを外した状態で示す台板の左後方からの斜視図
【図５】調節脚の外観斜視図
【図６】本発明の第２の実施形態を示す図１相当図
【図７】図５相当図
【図８】台板の調節脚取付部分の平面図
【図９】本発明の第３の実施形態を示す図７相当図
【図１０】本発明の第４の実施形態を示す調節脚部分の斜視図
【図１１】調節脚部分の正面図
【図１２】調節脚を取り付けた部分の縦断側面図
【発明を実施するための形態】
【００１４】
（第１の実施形態）
以下、本発明をドラム式洗濯機に適用した第１の実施形態について図１〜図５を参照して説明する。まず図２において、洗濯機本体１の外殻を形成する外箱２は、全体として矩形箱状をなす外箱本体３と、この外箱本体３の底部を構成する台板４とを備えている。外箱２の内部には水槽５（図１に点線で示す）が配設されているとともに、その水槽５内に、洗濯槽と脱水槽を兼ねるドラム（図示せず）が回転可能に収納されている。水槽５及びドラムは、同心の円筒状をなし、その中心軸線を、外箱２の前後方向に指向させた横軸状で、かつ水平に対して所定角度傾けた前上がりの傾斜状態となるように配置されている。
【００１５】
水槽５は、貯水と排水が可能に構成され、複数のダンパ（図示せず）を介して台板４上に防振支持されている。前記ドラムは、通水及び通風が可能な多数の孔を有していて、内部に洗濯物が投入される。このドラムは、駆動源となる図示しない洗濯機用モータにより回転されるようになっている。外箱本体３の正面を形成する前面板３ａは、上部側が後方へやや傾斜している。その前面板３ａの中央部には、前記ドラムに対して洗濯物を出し入れするための洗濯物出入口（図示せず）が形成されているとともに、その洗濯物出入口を開閉するドア６が横方向へ回動可能に取り付けられている。前面板３ａの上部の右側には、操作パネル７が設けられている。
【００１６】
外箱２の前部の下部には、前カバー１０が着脱可能に取り付けられている。前カバー１０は左右方向に長い横長の矩形状をなしていて、その前カバー１０を取り外すことで、図３及び図４に示すように、外箱２の前部下部に形成された開口部１１が開放される。その開口部１１は、台板４の前部と外箱本体３の下部前部とにわたって形成されている。
【００１７】
洗濯機本体１の底部を形成する前記台板４には、後部の左右両側に固定脚１２（図２に右側の固定脚１２のみ示されている）が設けられ、前部の左右両側に、高さ調節が可能な調節脚１３が設けられていて、これら２個の固定脚１２と２個の調節脚１３とによって洗濯機本体１が設置面に支えられるようになっている。図３及び図４には、台板４を、防水パン１５上に設置した状態が示されている。なお、図３及び図４においては、台板４と前カバー１０以外は省略されている。防水パン１５は、周縁部に立上がり壁１５ａを枠状に有していて、全体として矩形容器状をなしている。
【００１８】
次に、前記調節脚１３について説明する。左右の調節脚１３は同じ構成であるので、右側の調節脚１３を代表して説明する。図１及び図５において、調節脚１３は、ブッシュ１７と、上下方向に延び外周部に雄ねじ部１８が形成された軸部１９を有するとともにこの軸部１９の下端部に成形により一体化されたゴム脚２０を有した脚本体２１と、軸部１９の外周部の下部に螺合された外部ロックナット２２と、軸部１９の外周部の上部に螺合された内部ロックナット２３とを備えている。
【００１９】
このうち、前記ブッシュ１７は、合成樹脂製で、内周部に雌ねじ部２４を有する筒部２５と、この筒部２５の上部に設けられた複数本の上向きの弾性係合爪２６と、筒部２５の下端部に横方向へ張り出すように設けられた鍔部２７とを一体に有している。筒部２５は、ほぼ円筒状をなし、外周部の対向する２箇所に平坦部２５ａが形成されている。したがって、筒部２５の横断面形状としては、いわゆる小判形に形成されている。このブッシュ１７は、図１に示すように、台板４に形成された脚取付用孔２９に下方から挿入することで台板４に取り付けられるが、その取り付け方は後述する。
【００２０】
前記脚本体２１の軸部１９は、例えば金属製で、外周部に雄ねじ部１８が形成されている。軸部１９の下端部には、横方向に張り出す鍔部１９ａが一体に設けられている。ゴム脚２０は、軸部１９の下端部に鍔部１９ａを包みこむような形態で、成形により一体化されている。この場合、脚本体２１は、ゴム脚２０の成形時に軸部１９をインサート成形することによって製造される。ゴム脚２０は、脚本体２１を外箱２の外部から操作するための外部操作部を構成する。軸部１９の上端面には、工具（例えばドライバー）挿入用の溝３１が形成されている。この溝３１は、脚本体２１を外箱２の内部から操作するための内部操作部を構成する。
【００２１】
前記外部ロックナット２２は、筒部２２ａの内周部に雌ねじ部３２を有している。この外部ロックナット２２は、前記ゴム脚２０と前記ブッシュ１７の鍔部２７との間に位置させて、雌ねじ部３２を軸部１９の雄ねじ部１８に螺合させることにより、軸部１９の外周部に螺進退可能に取り付けられている。外部ロックナット２２には、筒部２２ａの周りに位置させて複数個の円形の孔３３が形成されている。
【００２２】
前記内部ロックナット２３は、筒部２３ａの内周部に雌ねじ部３４を有していて、前記外部ロックナット２２とほぼ同様な構成を有している。この内部ロックナット２３は、軸部１９の上端部側に位置させて、雌ねじ部３４を軸部１９の雄ねじ部１８に螺合させることにより、軸部１９の上部外周部に螺進退可能に取り付けられる。内部ロックナット２３にも、筒部２３ａの周りに位置させて複数個の円形の孔３３が形成されている。
【００２３】
ここで、調節脚１３を台板４に取り付ける際の取り付け方について説明する。まず、調節脚１３を台板４に取り付ける前には、図５に示すように、脚本体２１の軸部１９に、外部ロックナット２２を螺合させることにより取り付け、この後、軸部１９にブッシュ１７を螺合させることにより取り付けた状態とする。なお、内部ロックナット２３は、後述するように後から取り付ける。
【００２４】
次に、図１に示すように、脚本体２１の軸部１９の先端部及びブッシュ１７の弾性係合爪２６を、台板４の脚取付用孔２９に下方から挿入し、各弾性係合爪２６を、脚取付用孔２９の上部周縁部に形成された係合筒部３６に係合させるとともに、ブッシュ１７の鍔部２７を脚取付用孔２９の下部周縁部に下方から当てる。これにより、ブッシュ１７が台板４に、軸方向（上下方向）に抜け止め状態に取り付けられるとともに、そのブッシュ１７に脚本体２１が取り付けられ、さらに脚本体２１に外部ロックナット２２が取り付けられた状態となる。このとき、脚取付用孔２９の横断面形状も、ブッシュ１７の筒部２５と同様に小判形に形成されていて、筒部２５は脚取付用孔２９に回り止め状態で取り付けられる。
【００２５】
この後、外箱２における台板４の内側から、軸部１９の上端部外周部に内部ロックナット２３を螺合させることにより取り付ける。このとき、筒部２３ａの下端部が、ブッシュ１７における複数の弾性係合爪２６の内側に挿入された状態となる。以上により、調節脚１３の台板４への取り付けが完了する。
【００２６】
さて、上記構成において、洗濯機本体１を、防水パン１５を用いずに設置する場合には、洗濯機本体１の外部から外部ロックナット２２及びゴム脚２０を回転操作することが可能である。このような状態で調節脚１３の高さを調節する場合には、洗濯機本体１の外部から外部ロックナット２２を回転操作して緩めた状態とし、この状態で、ゴム脚２０を持って脚本体２１を回転操作し、軸部１９の雄ねじ部１８をブッシュ１７の雌ねじ部２４に対して螺進退させることで、脚本体２１の高さを調節する。高さが決まったら、外部ロックナット２２を締め付けることで、高さ調節が完了する。
【００２７】
一方、洗濯機本体１の台板４を防水パン１５上に設置した場合には、図１に示すように、防水パン１５の立上がり壁１５ａの上端部が、ゴム脚２０及び外部ロックナット２２より高く、この状態では、洗濯機本体１の外部からそれらゴム脚２０及び外部ロックナット２２を回転操作することが困難であり、脚本体２１の高さを調節することができない。
【００２８】
このような場合には、図３及び図４に示すように、外箱２の前カバー１０を外すことで、外箱２の前部下部の開口部１１を開放させる。この状態では、調節脚１３の内部ロックナット２３や軸部１９の上端部近傍が開口部１１を通して洗濯機本体１の外部に開放された状態となり、開口部１１から外箱２内に手を挿入し、調節脚１３の内部ロックナット２３や軸部１９の上端部を手で触ることが可能となる。
【００２９】
この状態で、開口部１１から手を挿入し、内部ロックナット２３を回転操作して緩め、この後、開口部１１から図示しないドライバーを挿入し、そのドライバーの先端部を、軸部１９の上端部における工具挿入用の溝３１に挿入して、ドライバーにより軸部１９ひいては脚本体２１を回転させ、軸部１９の雄ねじ部１８をブッシュ１７の雌ねじ部２４に対して螺進退させることで、脚本体２１の高さを調節する。このとき、ゴム脚２０を防水パン１５から少し浮かせるように、洗濯機本体１の片側を持ち上げるようにすることが好ましい。脚本体２１の高さが決まったら、内部ロックナット２３を締め付けることで、高さ調節が完了する。脚本体２１の高さ調節が完了したら、前カバー１０を取り付けておく。
【００３０】
上記した実施形態によれば、次のような作用効果を得ることができる。
調節脚１３の脚本体２１には、下部に外部操作部としてのゴム脚２０が設けられているとともに、上部に内部操作部としての工具挿入用の溝３１が設けられている。このため、脚本体２１の高さ調節を洗濯機本体１の外側から行うことができる場合には、洗濯機本体１の外側から外部操作部としてのゴム脚２０を操作して軸部１９を回転させることで脚本体２１の高さを調節することができる。これに対して、例えば、洗濯機本体１を防水パン１５上に設置した状態で、洗濯機本体１の外側からゴム脚２０を回転操作できないような場合には、外箱２の前部下部の前カバー１０を外して開口部１１を開放させ、その開口部１１を通して外箱２内（台板４内）にドライバーを挿入し、そのダライバーの先端部を、軸部１９の工具挿入用の溝３１に挿入して軸部を１９回転させることで脚本体２１の高さを調節することができる。
【００３１】
したがって、本実施形態においては、調節脚１３における脚本体２１の高さ調節の操作を、洗濯機本体１の外側からでも、外箱２の内側からでも行うことができるため、洗濯機本体１を防水パン１５上に設置するような場合でも、がたつきを防止でき、据え付け不良を低減できる。
【００３２】
調節脚１３において、内部操作部を、軸部１９の上端部に形成した工具挿入用の溝３１により構成した。この構成によれば、軸部１９に外部ロックナット２２やブッシュ１７を組み付ける際に、内部操作部が邪魔になることがないから、組み付けやすいという利点がある。
【００３３】
軸部１９の上端部側に内部ロックナット２３を設けているので、洗濯機本体１の外側から外部ロックナット２２を操作できない場合でも、外箱２の内側から前記内部ロックナット２３を操作することで脚本体２１の位置を固定することができる。
なお、上記した第１の実施形態において、ブッシュ１７に代えて、雌ねじ部を有するナットを台板４に固着したり、或いは雌ねじ部を台板４に直接設けたりすることもできる。
【００３４】
（第２の実施形態）
次に本発明の第２の実施形態について図６〜図８を参照して説明する。上述した第１の実施形態と同一の部分には同一の符号を付して説明は省略し、異なる部分について説明する。
すなわち、調節脚３８は、第１の実施形態の内部ロックナット２３を備えていない。そして、台板４には、図６及び図８に示すように、脚取付用孔２９の近傍に位置させて、外部ロックナット２２の回り止めをする回り止め手段としてねじ部材３９を取り付けている。このねじ部材３９は、台板４に形成されたねじ挿通孔４０に上方からねじ込んで貫通させ、下端部を外部ロックナット２２の孔３３に挿入することで、外部ロックナット２２の回り止めをしている。ねじ挿通孔４０は、図８に示すように、脚取付用孔２９（軸部１９）の中心を中心とした円の周方向に長い円弧状となっていて、ねじ部材３９と孔３３の位置の調整ができるようになっている。
【００３５】
上記構成において、洗濯機本体１の外部から脚本体２１の高さを調節する場合には、第１の実施形態の場合と同様である。一方、外箱２の内部から脚本体２１の高さを調節する場合には、前カバー１０を外して開口部１１を開放させた状態で、開口部１１を通してドライバーを外箱２内に挿入する。そして、そのダライバーの先端部を、軸部１９の工具挿入用の溝３１に挿入して軸部１９を回転させることで、脚本体２１の高さを調節する。このとき、ねじ部材３９により外部ロックナット２２の回り止めをすることができる。
したがって、この第２の実施形態においても、第１の実施形態と同様な作用効果を得ることができる。
【００３６】
（第３の実施形態）
次に本発明の第３の実施形態について図９を参照して説明する。この第３の実施形態は、上述した第２の実施形態とは次の点が異なっている。
すなわち、調節脚４３において、脚本体２１の軸部１９の上端部に、内部操作部として、前記工具挿入用の溝３１に代えて、摘み４４を取着している。この場合、摘み４４を軸部１９に取着する前に、ブッシュ１７、脚本体２１、外部ロックナット２２を台板４に取り付けておき、この後、台板４の内側において摘み４４を軸部１９に取着することになる。
【００３７】
上記した第３の実施形態においては、外箱２の内部から脚本体２１を回転操作する場合に、摘み４４を掴んで回転させることができるので、脚本体２１を回転させやすいという利点がある。
【００３８】
（第４の実施形態）
次に本発明の第４の実施形態について図１０〜図１２を参照して説明する。前記第１〜第３の実施形態と同一の部分には同一の符号を付して説明は省略し、異なる部分について説明する。
台板４において、調節脚４６を取り付けるための脚取付部４７は、上下方向に長い円柱状をなしている。その脚取付部４７の中央部には、内周部に雌ねじ部４８を有する脚取付孔４９が形成されている。脚取付孔４９は上下方向に延び、上下両端部が開口している。調節脚４６の脚本体５０は、上下方向に延びる軸部５１と、この軸部５１の下端部に成形により設けられたゴム脚５２（外部操作部に相当）とを備えている。軸部５１の外周部には、雄ねじ部５３が形成されている。その雄ねじ部５３を脚取付孔４９の雌ねじ部４８に螺合させることにより、脚本体５０を脚取付部４７に螺進退可能に取り付けている。軸部５１の上端部には、第１の実施形態と同様な工具（ドライバー）挿入用の溝３１（内部操作部に相当）が形成されている。
【００３９】
軸部５１の上部の外周部には外部ロックナット５５を配置している。この外部ロックナット５５は、筒部５５ａの内周部に雌ねじ部５６を有していて、その雌ねじ部５６を軸部５１の雄ねじ部５３に螺合させている。この外部ロックナット５５は、大部分が台板４内（外箱２内）に位置するとともに、外周部の一部が、台板４に形成された開口部５７から外部に露出していて、その開口部５７を通して台板４、ひいては洗濯機本体１の外部から回転操作可能となっている。外部ロックナット５５は、台板４の内側からも回転操作が可能である。
【００４０】
この場合、図１１及び図１２に示すように、台板４を防水パン１５上に設置した状態では、前記外部ロックナット５５は、防止パン１５の立上がり壁１５ａの上端より上に位置していて、外部から回転操作が可能となっている。
【００４１】
上記構成において、洗濯機本体１の外部から脚本体５０のゴム脚５２を回転操作することが可能である状態で、調節脚４６の高さを調節する場合には、まず、台板４（洗濯機本体１）の外部から外部ロックナット５５を緩める。この状態で、脚本体５０のゴム脚５２を回転操作することで、軸部５１を脚取付孔４９の雌ねじ部４８に対して螺進退させて高さを調節する。この後、外部ロックナット５５を締め付けておく。
【００４２】
一方、洗濯機本体１の台板４を防水パン１５上に設置した状態で、調節脚４６の高さを調節する場合には、まず、台板４（洗濯機本体１）の外部から外部ロックナット５５を緩める。そして、外箱２の前カバー１０を外して開口部１１を開放させた状態で、外箱２の内側において、図示しないドライバーの先端部を軸部５１の溝３１に挿入し、そのドライバーにより軸部５１ひいては脚本体５０を回転させることにより脚本体５０の高さを調節する。脚本体２１の高さが決まったら、外部ロックナット５５を締め付けることで、高さ調節が完了する。脚本体５０の高さ調節が完了したら、前カバー１０を取り付けておく。
【００４３】
上記した第４の実施形態によれば、特に、台板４を防水パン１５内に設置した状態でも、台板４の外部から外部ロックナット５５の回転操作が可能であるから、洗濯機本体１の外部から脚本体５０の高さを調節する場合でも、外箱２の内部からら脚本体５０の高さを調節する場合でも、外部ロックナット５５の操作が容易にできる。
【００４４】
（その他の実施形態）
本発明は、上記した実施形態にのみ限定されるものではなく、次のように変形または拡張できる。
本発明は、ドラム式洗濯機に限られず、水槽及び回転槽の軸方向が上下方向に指向した縦型洗濯機、或いは二層式洗濯機にも適用することができる。
【符号の説明】
【００４５】
図面中、１は洗濯機本体、２は外箱、３は外箱本体、４は台板、１０は前カバー、１１は開口部、１３は調節脚、１５は防水パン、１５ａは立上がり壁、１７はブッシュ、１８は雄ねじ部、１９は軸部、２０はゴム脚（外部操作部）、２１は脚本体、２２は外部ロックナット、２３は内部ロックナット、２４は雌ねじ部、３１は溝（工具挿入用の溝、内部操作部）、３８は調節脚、３９はねじ部材（回り止め手段）、４３は調節脚、４４は摘み（内部操作部）、４６は調節脚、４８は雌ねじ部、５０は脚本体、５１は軸部、５２はゴム脚（外部操作部）、５３は雄ねじ部、５５は外部ロックナットを示す。
【図１】
2010259704.tif 000003
【図２】
2010259704.tif 000004
【図３】
2010259704.tif 000005
【図４】
2010259704.tif 000006
【図５】
2010259704.tif 000007
【図６】
2010259704.tif 000008
【図７】
2010259704.tif 000009
【図８】
2010259704.tif 000010
【図９】
2010259704.tif 000011
【図１０】
2010259704.tif 000012
【図１１】
2010259704.tif 000013
【図１２】
2010259704.tif 000014